(57)【要約】【課題】耐久性及び表面平滑性に優れ、用紙吸着・剥離性の良好なインクジェット用搬送ベルトおよびインクジェット記録装置を提供する。【解決手段】シームレスベルト状で、少なくとも１層からなるインクジェット用搬送ベルトであって、最内層が、樹脂成分としてポリアミド樹脂、ポリエステル樹脂、およびポリイミド樹脂の少なくとも１種を含み、さらに、導電性フィラーを含有し、体積抵抗値が１０１０〜１０１４Ω・ｃｍであることを特徴とするインクジェット用搬送ベルトである。また、インクジェット用搬送ベルトを含む記録媒体搬送装置と、記録媒体にインク滴を吐出する記録ヘッドと、を含むことを特徴とするインクジェット記録装置である。【選択図】図１
2007307755.tif 000002
【特許請求の範囲】
【請求項１】
シームレスベルト状で、少なくとも１層からなるインクジェット用搬送ベルトであって、
最内層が、樹脂成分としてポリアミド樹脂、ポリエステル樹脂、およびポリイミド樹脂の少なくとも１種を含み、さらに、導電性フィラーを含有し、
体積抵抗値が１０１０〜１０１４Ω・ｃｍであることを特徴とするインクジェット用搬送ベルト。
【請求項２】
表面平滑度が、グロス（入射角７５度）で７５以上であり、厚みが３０〜１０００μｍであることを特徴とする請求項１に記載のインクジェット用搬送ベルト。
【請求項３】
前記最内層が、押出成形により作製されることを特徴とする請求項１または２に記載のインクジェット用搬送ベルト。
【請求項４】
厚さ１〜１００μｍの離型コート処理または離型フィルム処理が施されていることを特徴とする請求項１〜３のいずれか１項に記載のインクジェット用搬送ベルト。
【請求項５】
請求項１〜４のいずれか１項に記載のインクジェット用搬送ベルトを含む記録媒体搬送装置と、記録媒体にインク滴を吐出する記録ヘッドと、を含むことを特徴とするインクジェット記録装置。
【発明の詳細な説明】
【技術分野】
【０００１】
本発明は、インクジェット用搬送ベルトおよびインクジェット記録装置に関する。
【背景技術】
【０００２】
従来、インクジェット記録装置では、インクジェットヘッドを主走査方向へ走査しながらインク液を吐出し、１ライン分のインクジェットヘッドの走査が終了すると、記録媒体を副走査方向へ所定量搬送して、再びインクジェットヘッドを主走査方向へ走査して、記録媒体に画像を形成している。記録媒体の搬送は、所定量だけ精度よく搬送する必要があるため、搬送ベルトを帯電させて静電気により記録媒体を搬送ベルトの表面に吸着させて搬送している。搬送ベルトについては、種々のものが知られている（例えば、特許文献１参照）。
【０００３】
特許文献１の搬送ベルトは、ＥＴＦＥからなる層を２層有する構成となっており、体積抵抗値が、望ましくは１０１５（Ωｃｍ）になるように設定され、ＡＣ帯電による電荷を安定させて記録媒体を静電吸着させる。しかし、当該搬送ベルトでは、放電現象による放電生成物の付着や紙粉などによる汚れがつきやすく、寿命が短くなる可能性がある。また、２層成形時においては、樹脂溶融時の膜厚制御と残留歪影響での平滑性の保持とが困難である。さらに、用紙吸着性、用紙の浮き、姿勢、凹凸によるインクヘッド間距離変動による画質変化などにも良好とはいえない。
【特許文献１】特開２００３−１０３８５７号公報
【発明の開示】
【発明が解決しようとする課題】
【０００４】
本発明は、上記の問題点を解決すること目的とする。すなわち、本発明は、耐久性、搬送性、吸着性、耐磨耗性、除電性に優れ、用紙吸着性の良好なインクジェット用搬送ベルトおよびインクジェット記録装置を提供することを目的とする。
【課題を解決するための手段】
【０００５】
上記の目的を達成すべく鋭意検討した結果、本発明者は、下記本発明に想到し、当該課題を解決できることを見出した。すなわち、本発明は、シームレスベルト状で、少なくとも１層からなるインクジェット用搬送ベルトであって、最内層が、樹脂成分としてポリアミド樹脂、ポリエステル樹脂、およびポリイミド樹脂の少なくとも１種を含み、さらに、導電性フィラーを含有し、体積抵抗値が１０１０〜１０１４Ω・ｃｍであることを特徴とするインクジェット用搬送ベルトである。
【０００６】
本発明のインクジェット用搬送ベルトの表面平滑度は、グロス（入射角７５度）で７５以上であり、厚みが３０〜１０００μｍであることが好ましい。最内層は、押出成形により作製されることが好ましい。また、厚さ１〜１００μｍの離型コート処理または離型フィルム処理が施されていることが好ましい。
【０００７】
さらに、本発明は、既述の本発明のインクジェット用搬送ベルトを含む記録媒体搬送装置と、記録媒体にインク滴を吐出する記録ヘッドと、を含むことを特徴とするインクジェット記録装置である。
【発明の効果】
【０００８】
本発明によれば、耐久性、安定した走行速度、吸着性、耐磨耗性に優れ、用紙吸着・剥離性の良好なインクジェット用搬送ベルトおよびインクジェット記録装置を提供することができる。
【発明を実施するための最良の形態】
【０００９】
［インクジェット用搬送ベルト］
本発明のインクジェット用搬送ベルトは、シームレスベルト状であり、少なくとも１層からなるインクジェット用搬送ベルトであって、最内層（基材ともいう）が、樹脂成分としてポリアミド樹脂、ポリエステル樹脂、およびポリイミド樹脂の少なくとも１種を含み、さらに、導電性フィラーを含有し、体積抵抗値が１０１０〜１０１４Ω・ｃｍとなっている。
【００１０】
シームレスベルト状であって、少なくとも１層からなり、上記樹脂成分を含むことで、製膜時の溶剤除去とイミド化時の架橋により成形時の残留歪を取り除き、環境変化時の寸法変動やうねりたわみを少なくでき、周長変化も少なくすることができる。また、上記樹脂を用いることにより、膜厚変動を抑えた（＜１％）用紙保持性とカラーレジストレーションの対応が可能となり、ベルト帯電時の履歴による残留電荷の影響も少なく、除電レス化を可能にする。
【００１１】
また、導電性フィラーを含有し、体積抵抗値を１０１０〜１０１４Ω・ｃｍとすることで、帯電時の連続使用による残留電荷の蓄積を防ぎ、安定した用紙の吸着性及び剥離性を両立させることが可能となる。さらに、ベルト上での用紙吸着性、搬送・剥離性、除電性の観点から、表面抵抗値は、１０１１〜１０１４Ω／ｃｍ２であることが好ましく、１０１１〜１０１４Ω／ｃｍ２であることがより好ましい。１０１１〜１０１４Ω／ｃｍ２であることで、ベルト帯電時の必要な表面電荷の形成による用紙吸着性と搬送性さらには剥離性の付与することができる。
【００１２】
表面平滑度は、グロス（入射角７５度）で７５以上であることが好ましく、８０〜１３０    であることがより好ましい。厚みは、３０〜１０００μｍであることが好ましく、５０  〜１３０μｍであることがより好ましい。表面平滑度が７５以上で、厚みが３０〜１０００μｍであることで、インク、紙粉，異物等の付着性を軽減でき，ブレードなどのクリーニング性向上と用紙搬送時の起伏、速度ムラによるカラーレジストレーション、伸びなどの変動を抑制することができる。
【００１３】
表面平滑度は、表面粗さ計によるＲｚ（１０点平均粗さ）やデジタル精密光沢計による（入射角２０°〜７５°）による表面反射率をして測定することができる。
【００１４】
樹脂成分としてのポリアミド樹脂、ポリエステル樹脂、およびポリイミド樹脂は、従来公知のものを使用することができる。
【００１５】
例えば、本発明で使用されるポリイミド樹脂被膜としては、カルボン酸とジアミン成分であれば特に制限されないが、特に芳香族テトラカルボン酸成分と芳香族ジアミン成分とを有機溶媒中で反応させて得られるものが好ましく用いられる。
【００１６】
前記芳香族テトラカルボン酸成分としては、ピロメリット酸、ナフタレン−１，４，５，８テトラカルボン酸、２，２’，３，３’ビフェニルテトラカルボン酸、ナフタレン−２，３，６，７−テトラカルボン酸、２，３，５，６−ビフェニルテトラカルボン酸、３，，３’，４，４’−ジフェニルエーテルテトラカルボン酸、３，３’，４，４’−ベンゾフェノンノンテトラカルボン酸、３，３’，４，４’−ジフェニルテトラカルボン酸、３，３’，４，４’−ジフェニルスルホンテトラカルボン酸、３，３’，４，４’−アゾベンゼンテトラカルボン酸、ビス（２，３−ジカルボキシフェニル）メタン、ビス（３，４−ジカルボキシフェニルメタン）、ビス（３，４ジカルボキシフェニルプロパン）、ビス（３，４ジカルボキシフェニル）ヘキサフルオロプロパン等があげられ，これらのテトラカルボン酸類の混合物でよい。
【００１７】
前記芳香族ジアミン成分としては特に制限なく、ｍ−フェニルジアミン、ｐ−フェニルジアミン、２，４−アミノトルエン、２，６−アミノトルエン、２，４−ジアミノクロロベンゼン、ｍ−キシリレンジアミン、ｐ−キシリレンジアミン、１，４−ジアミノナフタレン、１，５−ジアミノナルタレン、２，６−ジアミノナフタレン、２，４’−ジアミノナフタレンビフェニル、ベンジジン、３，３−ジメチルベンジジン、３，３’−ジメトキシベンジジン、３，４’−ジアミノジフェニルエーテル、４，４’−ジアミノジフェニルエーテル（ＯＤＡ）、４，４’−ジアミノジフェニルスルフィド、３，３’−ジアミノベンゾフェノン、４，４’−ジアミノフェニルスルホン、４，４’−ジアミノアゾベンゼン、４，４’−ジアミノジフェニルメタン、ビスーアミノフェニルプロパン等が挙げられる。
【００１８】
前記有機溶媒として例えば，Ｎ−メチル−２−ピロリドン、Ｎ，Ｎ−ジメチルアセトアイミド、ジメチルスルホキシド、ヘキサメチルホスホニルトリアミド等が挙げられる。必要に応じて、クレゾール、フェノール、キシレノール等のフェノール類、ヘキサンベンゼン、トルエン等の炭化水素類を混合してもよい。また、これらを単独で用いても、２種以上の混合物として使用してもよい。
【００１９】
導電性フィラーである電子伝導性導電材としては、カーボンブラック、グラファイト、Ａｌ、Ｎｉ、銅等のフィラーや、酸化錫、酸化亜鉛、チタン酸Ｋ、酸化錫−酸化Ｉｎ、酸化Ｓｂなどの複合酸化物が挙げられる。また、イオン導電性材料としては、アンモニウム塩、スルホン酸塩、カチオン、ノニオン、アニオン系の界面活性材が挙げられる。そしてこれらを適宜用いて、体積抵抗値を１０１０〜１０１４Ωｃｍに制御する。導電性フィラーの含有量は、所望の体積抵抗値などによるが、インクジェット用搬送ベルト中に１〜５０質量％であることが好ましい。
【００２０】
上記体積抵抗値および表面抵抗値は、２３℃、５５％ＲＨの環境下で、円形電極（例えば、三菱油化（株）製ハイレスターＩＰの「ＨＲＳプローブ」）を用い測定することができる。測定条件としては、例えば、荷重１．０ｋｇ、電圧１００Ｖ、チャージ時間１０秒とする。
【００２１】
最内層は、押出成形により作製されることが好ましい。押出成形で最内層を形成することで、膜厚均一性に優れ，成形時の残留歪みを低減させ、抵抗バラツキや軸方向での配向によるベルト強靭性の付与することができる。この場合の押出成型の条件としては、例えば９０ｍｍ１軸エクストルーダーを用いて，１ｍ／ｓｅｃの押し出しスピードで、クロスヘッド成形して均一な膜厚を保持したベルトとすることが好ましい。
【００２２】
最内層上には、少なくとも１の層が形成される。当該層のうち最外層は、フッ素系樹脂を含む層であることが好ましい。フッ素系樹脂の表面コート材料としては、フッソ樹脂、フッソ変性ウレタン、及びシリコーン樹脂、共重合フッソゴム、フッソ樹脂−共重合ビニルエーテル、ＰＦＡ（４フッ化エチレンパーフルオロアルコキシ樹脂）、ＦＥＰ（４フッ化エチレン・６フッ化プロピレン共重合塗料）などの粉体塗料または樹脂チューブによる被覆、ＰＴＦＥ（４フッ化エチレン）塗料、ＰＴＦＥ分散ウレタン塗料、エナメル、さらにＥＴＦＥ（ポリテトラフルオロエチレン）チューブ、ＰＶｄＦ（ポリビニリデンフルオライド）、ＰＨＶ（ポリテトラフルオロビニリデン）樹脂材等が挙げられる。なお、本発明のインクジェット用搬送ベルトは、２層構成であることが好ましい。
【００２３】
最内層となる基材に用いる樹脂材料の耐熱性に応じて、上記表面コート材料の表面コート（スプレー、デップ、フロコート、静電コート、回転成形による被覆コート等）を行い、適宜、焼成処理や表面に離型性をもたせる処理を施す。このようにして、シームレスベルト状で、少なくとも１層からなる本発明のインクジェット用搬送ベルトが作製される。
【００２４】
特に、上記インクジェット用搬送ベルトには、厚さ１〜１００μｍの離型コート処理または離型フィルム処理が施されていてもよい。かかる処理が施されることで、内面のインクの濡れ性改善と親和性の低減により、インク付着性を抑え、さらに表面フィラーの露出による表面光沢・粗さの低減化をすることができる。また膜厚が１μｍ以内では基材面での起伏をひろい、表面コートによるレベリング効果が薄れ、１００μｍ以上では基材層の柔軟性が失われ、ベルトくせ、表面へこみ、剛性が変化し、ベルトスピードに変調をきたすことが考えられる。さらに離型コートすることにより、用紙剥離時の紙粉付着性低減、両面印字によるベルト面汚れの低減，摩擦係数の低減、表面平滑性の付与によるクリーニング性、画質の向上などの効果が考えられる。
フッソ塗料においてはＰＴＦＥなどの粒子分散型やルミフロンのようなＦＥＶＥ：フルオロエチレン−ビニルエーテル共重合タイプのポリマーやＰＶＤＦ系、軟質Ｆッソ樹脂、フロオロエポキシ樹脂などの溶剤タイプが一般的である。基材の耐熱性がある場合はＰＦＡのような溶融タイプの離型コートまたはチューブ処理も可能である。
【００２５】
具体的には、Ｎａエッチング処理しベルト基材面を活性化処理した後にフッソチューブ界面を接着処理した２層のフィルム状の離型層をもつ２層構成のものが挙げられる。
【００２６】
［インクジェット記録装置］
図１に示すように、本発明のインクジェット記録装置１０は、記録媒体である記録用紙Ｐにインク滴を吐出するインクジェットヘッドユニット１２を備えており、インクジェットヘッドユニット１２は、シアン（Ｃ）、マゼンタ（Ｍ）、イエロー（Ｙ）、黒（Ｋ）の４色のインク滴各々をノズルから記録用紙Ｐにインク滴を吐出する吐出するインクジェットヘッド（図示省略）を備えている。インクジェットヘッドは記録用紙Ｐの幅以上の有効印字領域を有する長尺のヘッドで、記録用紙Ｐの幅方向の印字領域に一斉にインク滴を吐出する。また、インクジェットヘッドのノズルからインク滴を吐出させる方式は、圧電素子でインク室を加圧する方式やサーマル方式等の公知の方式を適用可能である。
【００２７】
また、インクは、インクジェットヘッドユニット１２の上方に配置されたインクタンク（図示省略）から配管を通じてインクジェットヘッドへ供給され、インクの種類は、水性インク、油性インク、溶剤系インク等の公知のインクが適用可能である。
【００２８】
インクジェット記録装置１０の最下部には、給紙トレイ１６が挿抜可能に設けられており、給紙トレイ１６には、記録用紙Ｐが積載されており、最上位の記録用紙Ｐにはピックアップロール１８が当接している。記録用紙Ｐは、ピックアップロール１８によって１枚ずつ給紙トレイ１６から搬送方向下流側へ給紙され、搬送経路に沿って順に配設された搬送ロール２０、２２によってインクジェットヘッドユニット１２の下方へ給紙される。
【００２９】
また、インクジェットヘッドユニット１２の下方には、本発明のインクジェット用搬送ベルトである無端状の搬送ベルト２４が配設されており、搬送ベルト２４は、駆動ロール２６及び従動ロール２８、３０に張架されて、記録媒体搬送装置が構成されている。また、従動ロール３０は接地されている。
【００３０】
また、記録用紙Ｐが搬送ベルト２４に接触する位置の上流側に、電源装置３４が接続された帯電ロール３２が配置されている。帯電ロール３２は、従動ロール３０との間で搬送ベルト２４を挟みつつ従動し、搬送ベルト２４に押圧する押圧位置と、搬送ベルト２４から離間した離間位置との間を移動可能とされている。押圧位置では、接地された従動ロール３０との間に所定の電位差が生じるため、搬送ベルト２４に対して放電し、電荷を与えることができる。また、帯電ロール３２を配置する位置は、記録用紙Ｐが搬送ベルト２４に接触する位置の上流側である場合を例に説明したが、これに限定されるものではなく、紙粉やインクミスト等の装置内の汚れによる影響が少なくなる位置に設置することができる。電源装置３４は、既知である任意の電圧波形を発生する任意波形発生器及び増幅器で構成されている。
【００３１】
また、インクジェットヘッドユニット１２の下流側には、記録用紙Ｐの排出経路を構成する複数の排出ロール対４０が設けられ、排出ロール対４０で構成された排出経路の先には、排紙トレイ４２が設けられている。
【００３２】
インクジェット記録装置１０の各部は、図２に示すように、ＣＰＵ、ＲＯＭ、及びＲＡＭから構成される制御部５６によって制御され、インクジェットヘッドユニット１２、帯電ロール３２、各種ロールを駆動する複数のモータ４６を含むインクジェット記録装置１０の全体を制御している。
【００３３】
次に、インクジェット記録装置１０のプリント動作について説明する。まず、制御部５６は、プリントジョブの指令を受け取ると、ピックアップロール１８、全ての搬送ロール、搬送ベルト２４を駆動させて給紙トレイ１６から記録用紙Ｐを送り出す。さらにダミージェットを行い、インクジェットヘッドユニット１２のノズルの性能を初期化し、インクジェットヘッドユニット１２によるインク滴の吐出を制御するヘッド制御部（図示省略）は、画像信号に対応するノズルの圧電素子に、画像信号に応じたタイミングで駆動電圧を印加する。
【００３４】
これによって、搬送ベルト２４で搬送されている記録用紙Ｐが印字されるが、この印字工程については詳細に後述する。そして、印字された記録用紙Ｐは、搬送ベルト２４、排出ロール対４０によって排紙トレイ４２まで搬送される。
【００３５】
ここで、印字工程について説明する。まず、制御部５６は、プリントジョブを受信すると、帯電ロール３２をオンにし、電源装置３４から上述した重畳波形で変化する電圧を帯電ロール３２に印加させる。そして、帯電ロール３２が搬送ベルト２４に放電すると、搬送ベルト２４の表面上の帯電領域において、重畳波形の高周波電圧波形で変化する電圧によって、残留電荷を平均化しつつ低周波電圧波形の周波数に対応する帯電パターンのみがベルト表面に現れ、搬送ベルト２４の表面には、図３に示すように、正の電荷と負の電荷とが交互に帯電される。この正の電荷と負の電荷とによる不均一電界による応力（マックスウェル応力）によって、記録用紙Ｐが搬送ベルト２４の表面に安定的に静電吸着される。正の電荷と負の電荷とが交互に帯電されているため、搬送ベルト２４の表面からインクジェットヘッドユニット１２のインク滴の吐出へ与える電界の影響が少なく、また、記録用紙Ｐを直接帯電しないため、記録用紙Ｐの特性（電気抵抗値、厚さなど）に起因する吸着力の影響が少ない。
【００３６】
これによって、搬送ベルト２４へ給紙された記録用紙Ｐが、搬送ベルト２４に静電吸着されてインクジェットヘッドユニット１２の印字領域を通過する。その際、制御部５６は、インクジェットヘッドユニット１２を作動して記録用紙Ｐに印字を行う。そして、記録用紙Ｐは排出ロール対４０によって、排紙トレイ４２に排紙される。また、搬送ベルト２４の記録用紙Ｐが吸着されていた部分は、駆動ロール２６及び従動ロール２８、３０によって、帯電ロール３２の押圧部分へ再び回転移動し、帯電ロール３２に印加された重畳波形で変化する電圧によって搬送ベルト２４上に残留した電荷が平均化されると共に、再び低周波電圧波形の周波数に対応し、搬送ベルト２４上に正の電荷と負の電荷とが交互に帯電され、安定した吸着力を維持する。
【実施例】
【００３７】
以下、実施例により本発明を具体的に説明するが、本発明はこれらに限定されるものではない。なお、下記実施例中の「部」とは、質量部を意味する。
【００３８】
（実施例１）
難燃性ポリアミド（クラレ製９ナイロン  Ｇ２３３０）１００部に対して導電性カーボンブラックであるアセチレンブラック（デンカ製）１０部を配合して、２本ロールで１４０℃で混練分散混合後、粉砕機を用いてチップ状に粉砕し、これを２軸スクリュー押し出し機（シリンダー温度３００〜３２０℃）を用いて外径２５５ｍｍφの円筒状にベルト成形した。
【００３９】
一方で、外径２５０ｍｍ、長さが５００ｍｍのアルミニウム製円筒状芯体の外周面に離型材としてシリコーン系樹脂を厚さ１μｍになるようにスプレー塗布し、３８０℃で１時間焼成した。
【００４０】
この円筒状芯体に、前記作製した押し出し成形ベルトを被覆し、１５０℃、１時間アニール処理を施し、芯体から樹脂ベルトを取り外し、幅３６５ｍｍにカットし、膜厚１２２μｍ、体積抵抗値１０１１．３Ωｃｍ、表面抵抗値１０１２．４Ω／ｃｍ２のインクジェット用搬送ベルトを作製した。
【００４１】
なお、体積抵抗値は２３℃、５５％ＲＨ環境下で三菱油化製ハイレスターＩＰの円筒電極ＨＲプローブを用いて荷重１ｋｇ、電圧１００Ｖ（１０秒チャージ）の値で、ベルト周方向、軸方向各９点測定した平均値とした。表面抵抗値は、体積抵抗値と同様に対抗電極をＨＲプローブで外電極と内電極間での値で同条件下測定した平均値とした。また村上カラリサーチ製精密光沢計により測定したグロス（入射角７５°）は８３であった。
【００４２】
上記インクジェット用搬送ベルトをインクジェット画像形成装置に装着して画像を形成し、その画質を評価した。またインクジェット用搬送ベルトの表面に給電されたＤＣ電圧（３ｋＶ）に対する用紙の吸着性を観察し、印字後の剥離性を評価した。結果を下記表１に示す。表１から、良好な用紙吸着性が得られ、良好な画像が得られたことが確認できた。なお、表１中、自己消燃性プラスチックの難燃性の指標である「Ｖ−０」はＵＬ９４規格で試料をバーナーで燃焼させてその燃焼状態で判定することを意味し、「Ｖ−２」はＶ−０、Ｖ−１に続き、難燃性が低く、ＪＩＳ  Ｃ−６４８１、Ｆｅｄ．Ｎｏ．４０６（方法２０２１）記載されている。
【００４３】
（実施例２）
実施例１のインクジェット用搬送ベルトの外周面に、大日精化製ウレタンフッソ共重合ポリマーＦＦ２０９（ＭＥＫ溶液）をスプレー塗布し、厚さ５μｍの表面離型層をコートし、２層型のインクジェット用搬送ベルトを作製し、実施例１と同様にベルトの評価を行った。また、当該インクジェット用搬送ベルトを使用した以外は、実施例１と同様にして、インクジェット画像形成装置に装着して画像を形成し、その画質を評価した。
【００４４】
結果は、下記表１のとおりで、抵抗への影響はなく、さらにインク付着性は低減され同様に用紙吸着性が得られた。なお、実施例２のインクジェット用搬送ベルトのグロスは、１１３であった。
【００４５】
（実施例３）
実施例１のインクジェット用搬送ベルトを１６０℃、１時間でアニールし、その後、Ｎａエッチング処理を施した。このベルトの外周面に旭硝子製ＥＴＦＥフィルム「アフレックス２５Ｎ」ラミネートし、２層型のインクジェット用搬送ベルトを作製した。
【００４６】
実施例１と同様にベルトの評価を行った。また、当該インクジェット用搬送ベルトを使用した以外は、実施例１と同様にして、インクジェット画像形成装置に装着して画像を形成し、その画質を評価した。
【００４７】
結果は、下記表１のとおりで、抵抗値は上がり、用紙吸着性には問題なかった。なお、実施例３のインクジェット用搬送ベルトのグロスは１０６であった。
【００４８】
（比較例１）
熱可塑性ポリイミド樹脂（宇部興産オーラムＰＬ４５０）を用いて、実施例１と同様に製膜処理を施し膜厚１０５μｍで体積抵抗値１０１３．２Ωｃｍ、表面抵抗１０１４．５Ω／ｃｍ２のポリイミド膜からなるインクジェット用搬送ベルトを得た。
【００４９】
当該インクジェット用搬送ベルトを使用した以外は、実施例１と同様にして、インクジェット画像形成装置に装着して画像を形成し、その画質を評価した。結果を下記表１に示す。この場合の評価においては、用紙吸着性は問題ないが表面抵抗が高く、剥離性に問題があり、徐電器が必要となった。なお、比較例１のインクジェット用搬送ベルトのグロスは、５８であった。
【００５０】
【表１】
2007307755.tif 000003
【図面の簡単な説明】
【００５１】
【図１】インクジェット記録装置の構成を例示する概略図である。
【図２】インクジェット記録装置の制御系を例示するブロック図である。
【図３】本発明の実施の形態に係る搬送ベルト上に帯電された電荷を示すイメージ図である。
【符号の説明】
【００５２】
１０・・・インクジェット記録装置
１２・・・インクジェットヘッドユニット
２４・・・搬送ベルト
３２・・・帯電ロール
３４・・・電源装置
５６・・・制御部
Ｐ・・・記録用紙
【図１】
2007307755.tif 000004
【図２】
2007307755.tif 000005
【図３】
2007307755.tif 000006